(57)【要約】      （修正有）【課題】2以上の複数の利用者が個別にインターネットを通じてウェブページを公開できるオンラインコミュニケーションサービスにおいて、利用者が各々のウェブページで公開している情報を相互に発見し閲覧する、オンラインコミュニケーションサービスを提供する。【解決手段】ウェブページに検索サービスが指定するウィジットコードを埋め込むことで検索サービスとの連携を図り、情報端末を用いてウェブページを閲覧時、閲覧したウェブページの情報に関連する情報を、閲覧しているウェブページ上のウィジットに表示した。利用者が各々のウェブページで公開している情報を相互に発見し閲覧することが容易となった。【選択図】図２
2013077170.tif 000002
【特許請求の範囲】
【請求項１】
情報出力手段(101) (121)と情報入力手段(102)(122)を具備しインターネット(116)への送受信手段(103)(123)を具備する２以上の複数の情報端末(104)(124)、インターネットへの送受信手段(105)と電子計算機資源(106)を具備し電子計算機資源(106)を用いて２以上の複数の利用者が各々インターネットを通じてウィジットコード(107)(127)を含むウェブページ(108)(128)を公開するオンラインコミュニケーションサービス(109)、インターネットへの送受信手段(110)とオンラインコミュニケーションサービス(109)を用いインターネットを通じて公開されたウェブページ(108)の情報を取得し格納し蓄積する情報格納手段(111)と情報格納手段(111)に蓄積された情報を検索し検索結果(119)とする情報検索手段(112)と情報端末に対する命令を具備し情報端末(104)の具備する情報出力手段(101)(121)に表示するウェブページ(117)(137)上にウィジット(118)(138)を表示しインターネット(116)を通じて検索サービス(114)から情報端末(104)(124)に検索結果(120)(140)を取得させ情報出力手段(101)(121)に表示するウェブページ(117)(137)上のウィジット(118)(138)上に検索結果(120)(140)を表示する命令を含むコンテナ(115)を具備する電子計算機資源(113)を具備する検索サービス(114)、情報端末(104)(124)がインターネット(116)を通じてアクセスしたウィジットコード(107)(127)が配置設定されたウェブページ(108)(128)のURLを検索サービス(114)に取得させるURL取得手段を備えた情報検索システム。
【発明の詳細な説明】
【技術分野】
【０００１】
本発明はオンラインコミュニケーションサービス(以下、OCSと記す)において、利用者の公開した情報を蓄積し、蓄積した情報を検索し利用者の情報端末に出力する方法に関する。
【背景技術】
【０００２】
本書面におけるOCSとは、インターネットに接続したサービスであり、2以上の複数のサービス利用者が各々に情報端末を用いてインターネットを通じてウェブページを公開し、インターネットを通じウェブページにアクセスする情報端末に対してウェブページの情報を送信する。
OCSの利用者がテキスト、画像、音声、動画などの情報を情報端末からインターネットを通じてOCSに送信すると、OCSが受信した情報を電子計算機資源に記録し利用者のウェブページに掲載し、インターネットを通じて公開する。
OCSに関する技術として、特許文献１、特許文献２が知られている。
【先行技術文献】
【特許文献】
【０００３】
【特許文献１】特開2002-373135号公報
【特許文献２】特開2003-173309号公報
【０００４】
本書面で言う電子計算機資源の定義には１台のコンピューターで実現される場合、複数のコンピューターで実現される場合、複数のコンピューターがネットワークで接続されて実現される場合、更にはコンピューターの台数を動的に変更できるクラウドコンピューターで実現される場合、情報端末を含めたピア・ツー・ピア方式のコンピューターネットワークで実現される場合、及び前記の各組み合わせも含まれる。
【０００５】
本書面におけるウィジットコードとは、情報端末に対する命令を具備する情報であり、OCS上の利用者のウェブページに配置設定され、情報端末がインターネットを通じてOCS上の利用者のウェブページにアクセスし利用者のウェブページの情報を取得し情報出力手段に表示する時、情報端末に対するインターネットを通じて検索サービスにアクセスしコンテナを取得する命令を具備し、情報端末がアクセスした利用者のウェブページのURLをインターネットを通じて検索サービスに通知するURL取得手段を具備する。ウィジットコードはインターネット上のウェブページの構成に用いられる記述規格によって構成される。記述規格の例として、HTML、JavaScript（「Java」は登録商標）、CSS、XMLがあげられる。
【０００６】
本書面におけるコンテナとは、情報端末に対する命令を具備する情報であり、情報端末の具備する情報出力手段に表示するウェブページ上にウィジットを表示し、インターネットを通じて検索サービスから情報端末に検索結果を取得させ、情報出力手段に表示するウィジット上に検索結果を表示する命令を含む。コンテナはインターネット上のウェブページの構成に用いられる記述規格によって構成される。記述規格の例として、HTML、JavaScript（「Java」は登録商標）、CSS、XML、Flash、Java（「Java」は登録商標）があげられる。
【０００７】
本書面におけるウィジットとは、情報端末がインターネットを通じてOCS上のウェブページにアクセスし、ウェブページの情報を取得し情報出力手段に表示する時、情報出力手段に表示するウェブページ上に表示する情報を示す。
【０００８】
本書面におけるURLとは「Uniform Resource Locator」の略称であり、インターネット上に存在する情報資源の場所を指し示す為に用いられる情報を指す。
【０００９】
本書面におけるリファラーとは、情報端末がインターネット上の情報資源を取得する時、情報資源の取得直前までにアクセスを行ったURLの履歴を含む情報を示す。
【００１０】
従来の技術について説明する。
OCSを用いてインターネットを通じウェブページを公開している利用者が、他のOCSの利用者がウェブページで公開している情報を検索し情報端末で閲覧するには、情報端末を用いてOCSが具備する検索手段に、検索単語を入力し検索を行い、OCSからインターネットを通じて情報端末に出力された検索結果を、情報端末で受信し、情報端末の具備する情報出力手段に表示していた。
【発明の概要】
【発明が解決しようとする課題】
【００１１】
OCSの目的の一つに、OCSを通じた利用者同士のコミュニケーションを活性化することが挙げられる。
【００１２】
OCSの利用者同士のコミュニケーションの活性化において、OCSの2以上の複数の利用者が各々のウェブページで公開している情報を相互に閲覧することが重要である。
【００１３】
従来の技術ではOCSの2以上の複数の利用者が各々のウェブページで公開している情報を相互に閲覧する方法として、検索があった。
【００１４】
検索はOCSを用いて公開されたウェブページの情報を検索し、利用者が興味を持つ情報を公開しているウェブページを発見、閲覧する為の手段である。
【００１５】
従来の技術では検索の工程に問題があった。
従来の技術における検索は、OCSの利用者が情報端末を用いてインターネットを通じ、OCSが具備する検索手段に検索語句を入力し、OCSに対してOCSを用いて公開されたウェブページの検索を命令し、OCSに対して検索結果を情報端末に向け出力させる命令をし、情報端末で検索結果を受信したものを情報出力手段に表示する工程を行わなくてはならず。検索は面倒で煩雑なものだった。本発明はこの様な事情に鑑みてなされたものである。
【課題を解決するための手段】
【００１６】
図２で示す。
OCS(209)を用いてインターネットを通じ公開するウェブページ(208)内に、検索サービス(214)が指定したウィジットコード(207)を配置設定する。
【００１７】
ウィジットコードには情報端末(204)が、インターネット(216)を通じ、OCS(209)上のウェブページ(208)にアクセスし、ウェブページ(208)の情報を取得し情報出力手段(201)に表示する時、情報端末(204)に対して、インターネット(216)を通じ検索サービス(214)にアクセスしコンテナ(215)を取得させる命令を具備している。
【００１８】
(イ)情報端末のウェブページ読み込み
情報端末(204)を用いOCS(209)上のウェブページ(208)にインターネット(216)を通じてアクセスすると、情報端末(204)はOCS(209)からウィジットコード(207)を含めたウェブページ(208)の情報をインターネット(216)を通じて取得する。
【００１９】
(ロ)情報端末のコンテナ読み込み
情報端末(204)は取得したウィジットコード(207)が具備する命令を実行し、検索サービス(214)からコンテナ(215)をインターネット(216)を通じて取得する。
情報端末(204)がコンテナを取得する時、URL取得手段が実行される。
【００２０】
本書面におけるURL取得手段とは情報端末(204)がインターネット(216)を通じてアクセスしたウィジットコード(207)が配置設定されたウェブページ(208)のURLを、検索サービス(214)に取得させる手段を示す。
URL取得手段によって、前述の(イ)にて情報端末(204)がインターネット(216)を通じOCS(209)から情報を取得したウェブページ(208)のURLを、検索サービス(214)は特定する。
【００２１】
(ハ)ウェブページの公開情報を取得
検索サービス(214)は前述の(ロ)情報端末のコンテナ読み込み、で特定したURLが示すOCS(209)上のウェブページ(208)にインターネット(216)を通じてアクセスし、ウェブページ(208)で公開している情報を取得する。
【００２２】
検索サービスは次に説明する(ニ)ウェブページの公開情報を蓄積、並びに(ホ)情報検索手段による検索を行う。
【００２３】
(ニ)ウェブページの公開情報を蓄積
検索サービス(214)は電子計算機資源(213)の具備する情報格納手段(211)に、インターネット(216)を通じて取得したウェブページ(208)で公開している情報を格納し、蓄積する。
【００２４】
(ホ)情報検索手段による検索
検索サービス(214)は電子計算機資源(213)の具備する情報検索手段(212)を用いて、インターネット(216)を通じて取得したウェブページ(208)で公開している情報に関連する情報を、情報格納手段(211)に蓄積された情報から検索し、その結果を検索結果(219)とする。
【００２５】
(ヘ)情報端末が表示
情報端末(204)は前述の(イ)情報端末のウェブページ読み込み、で取得したウェブページの情報を元に情報出力手段(201)にウェブページ(217)を表示する。
情報端末(204)は前述の(ロ)情報端末のコンテナ読み込み、で検索サービス(214)から取得したコンテナ(215)の具備する命令を実行し、情報出力手段(201)に表示するウェブページ(217)上にウィジット(218)を表示する。
【００２６】
情報端末(204)は前述の(ロ)情報端末のコンテナ読み込み、で検索サービス(214)から取得したコンテナ(215)の具備する命令を実行し、インターネット(216)を通じて検索サービス(214)から検索結果(219)を取得し、情報出力手段(201)に表示するウェブページ(217)上のウィジット(218)上に検索結果(220)を表示する。一連の処理を完了する。
【００２７】
前述の(イ)情報端末のウェブページ読み込み、(ロ)情報端末のコンテナ読み込み、(ハ)ウェブページの公開情報を取得、(ニ)ウェブページの公開情報を蓄積、(ホ)情報検索手段による検索、(ヘ)情報端末が表示、の処理工程を図9で示す。情報端末がOCSにアクセスする (S1)。OCSはウィジットコードを含めたウェブページ情報を情報端末に送信する(S2)。情報端末は取得したウィジットコードが具備する命令を実行し、検索サービスにアクセスする(S3)。検索サービスは情報端末からのアクセスを受け、これをきっかけにURL取得手段が実行される(S4)。検索サービスはコンテナを情報端末に送信する(S5)。検索サービスはOCSにアクセスする(S6)。OCSは検索サービスにウェブページ情報を送信する(S7)。検索サービス情報格納手段にウェブページ情報を格納し、蓄積する(S8)と並びに検索サービスは情報検索手段を用いて、情報格納手段ウェブページ情報に関連する情報を検索する(S9)。情報端末は検索サービスから取得したコンテナの具備する命令を実行し、検索サービスにアクセスする(S10)。検索サービスは検索結果を情報端末に送信する(S11)。情報端末はウィジットを含むウェブページを情報出力手段に表示する(S12)。
【発明の効果】
【００２８】
OCS(209)の利用者が、情報端末(204)を用いてウェブページ(208)にアクセスし、情報出力手段(201)にウェブページを表示するだけで、情報端末(204)の具備する情報出力手段(201)に表示したウェブページ(217)上のウィジット(218)上の検索結果(220)に、閲覧中のウェブページ(218)の情報に関連する情報を公開しているウェブページと情報が表示される。容易に閲覧中のウェブページ(218)の情報に関連する情報を公開しているウェブページを検索できるので、利用者が興味を持つ情報を公開しているウェブページを発見し、閲覧しやすくなった。OCSの2以上の複数の利用者が各々のウェブページで公開している情報を相互に閲覧しやすくなったことで、OCSを通じた利用者同士のコミュニケーションが活性化した。
【００２９】
OCSの2以上の複数の利用者が容易に各々のウェブページで公開している情報を相互に発見し閲覧できることにより、OCSを通じた利用者同士のコミュニケーションが活発化した。
【図面の簡単な説明】
【００３０】
【図１】OCSと情報端末と検索サービスを備えた情報検索システムの全体を示す図である。
【図２】OCSと情報端末と検索サービスを示す図である。
【図３】ウィジットコードの配置設定を示す図である。
【図４】ウェブページの閲覧  ウィジットの表示を示す図である。
【図５】ウィジットを介したウェブページ閲覧を示す図である。
【図６】ウィジットコードの付与を示す図である。
【図７】個別のIDを含むウィジットコードの配置設定を示す図である。
【図８】ウェブページの公開情報と検索結果の例を示す図である。
【図９】課題を解決するための手段の処理工程を示す図である。
【発明を実施するための形態】
【００３１】
以下、本発明の実施例について説明する。
発明の各実施例の構成は例示であり、本発明は実施例の構成に限定されない。
【実施例１】
【００３２】
本実施例では、OCSの例示として、インターネット上のサービスである、いわゆる「ブログ(ｂｌｏｇ)」サービスを例に、情報端末を用い、ウィジットコードを配置設定し、ウィジットコードを配置設定したウェブページを閲覧する工程を説明する。本例におけるウィジットの別称として、「ブログパーツ」「ブログツール」「ブログアクセサリー」「ブログシール」「ブログプラグイン」「ガジェット」がある。
【００３３】
図３で示すのは、OCSの利用者が情報端末(300)の具備する情報入力手段(302)を用いて、利用者のウェブページに公開する情報(303)に検索サービスが指定したウィジットコード(304)を配置設定する際の情報端末の様子である。
【００３４】
OCSの利用者がウェブページに検索サービスが指定したウィジットコード(304)を配置設定する。
【００３５】
OCSを用いて公開されたウェブページを、情報端末を用いて、閲覧する工程を説明する。
【００３６】
図２で示す。前述の(イ)情報端末のウェブページ読み込み、の処理を行う。
情報端末(204)は取得したウィジットコード(207)が具備する命令を実行し、検索サービス(214)からコンテナ(215)をインターネット(216)を通じて取得する。
情報端末(204)がコンテナを取得する時、URL取得手段が実行される。本実施例におけるURL取得手段を説明する。
【００３７】
情報端末(204)がインターネット(216)を通じて検索サービス(214)の具備する電子計算機資源(213)からコンテナ(215)を取得する時、情報端末(204)は検索サービス(214)の具備する検索サービス(210)に対して、リファラーを送信する。
検索サービス(210)は取得したリファラーから情報端末(204)がアクセスしたOCS(209)のウェブページ(208)のURLを特定する。
【００３８】
前述の(ハ)ウェブページの公開情報を取得、(ニ)ウェブページの公開情報を蓄積、(ホ)情報検索手段による検索、(ヘ)情報端末が表示、の処理を行う。
【００３９】
図４で示すのは、OCSの利用者が情報端末(400)を用いて、OCSを用いて公開したウェブページを、閲覧している際の情報端末(400)の様子である。
情報出力手段(401)に表示したウェブページ上にはウィジット(406)が表示し、ウィジット(406)には検索サービスによる検索結果(407)を表示した。
【００４０】
情報出力手段(401)に表示されているOCSの利用者がウェブで公開した情報を元に、検索サービスは「横浜」「味噌」「ラーメン」「雨」という情報を元に検索を行い、ウィジット(406)上の検索結果(407)に「横浜」「味噌」「ラーメン」「雨」に関連する情報が表示された。
ウィジット(406)に表示されている検索結果は、オンラインサービス上で公開したウェブページの情報を、検索サービスが取得し情報格納手段に蓄積したものから検索している。
【００４１】
検索結果は検索結果の情報を公開しているウェブページへのリンクとなっており、情報端末を操作する事で検索結果の情報を公開しているウェブページにアクセスし、情報出力手段に表示する。
【００４２】
図５で示すのは図４で示した情報端末(400)が情報出力手段(401)に表示されたウェブページ上に表示されたガジェット上の結果情報のリンクから、検索結果の情報を公開しているウェブページにアクセスし、情報出力手段(401)に表示した様子である。
【００４３】
情報出力手段(401)に表示されているウェブページにもウィジットコードが埋め込まれていたので、前述の(イ)情報端末のウェブページ読み込み、(ロ)情報端末のコンテナ読み込み、(ハ)ウェブページの公開情報を取得、(ニ)ウェブページの公開情報を蓄積、(ホ)情報検索手段による検索、(ヘ)情報端末が表示、の処理を行い、情報出力手段(401)にウィジット(506)を表示した。
【００４４】
ウィジット(506)上の検索結果(507)は、ウィジットコードが配置設定されたウェブページの情報を元に検索サービスが検索した結果であり、ウェブページに公開された情報に関連するものを表示する。
【００４５】
情報出力手段(401)に表示されているOCSの利用者がウェブで公開した情報を元に、検索サービスは「食べた」「味噌」「絶品」という情報を元に検索を行い、ウィジット(506)上の検索結果(507)に「食べた」「味噌」「絶品」に関連する情報が表示された。
【００４６】
この様に、OCSを用いて公開されたウェブページを、次々と容易に閲覧できるので、OCSの利用者同士が、ウェブページで公開している情報を相互に発見し閲覧することが容易になった。
【実施例２】
【００４７】
本実施例は前述のURL取得手段(ロ)情報端末のコンテナ読み込み、で実行するURL取得手段の一例を説明する。
【００４８】
図６で示すのは、OCSを用いてウェブページを公開する利用者が、情報端末(600)を用いて検索サービスにウェブページのURL(603)を登録する際の情報端末の様子である。
【００４９】
検索サービスは、登録されたウェブページのURL(603)を電子計算機資源が具備する情報格納手段に記録し、登録されたウェブページのURL(603)に対して、個別のIDを含むウィジットコード(604)を指定する。
【００５０】
OCSを用いてウェブページを公開する利用者は検索サービスに指定されたウィジットコードをウェブページに配置設定する。
【００５１】
図７で示すのは、図６でウェブページのURL(603)を登録したOCSの利用者が情報端末(600)の具備する情報入力手段(602)を用いて、ウェブページに公開する情報(703)と共に検索サービスが指定したウィジットコード(604)を配置設定する際の情報端末(600)の様子である。OCSの利用者はウェブページに検索サービスが指定したウィジットコード(604)を配置設定する。
【００５２】
OCSを用いて公開されたウェブページを、情報端末を用いて、閲覧する工程を説明する。
【００５３】
図２で示す。前述の(イ)情報端末のウェブページ読み込み、の処理を行う。情報端末(204)は取得したウィジットコード(207)が具備する命令を実行し、検索サービス(214)からコンテナ(215)をインターネット(216)を通じて取得する。
情報端末(204)がコンテナを取得し、URL取得手段が実行される。
【００５４】
本実施例におけるURL取得手段を説明する。
情報端末(204)がインターネット(216)を通じて検索サービス(214)の具備する電子計算機資源(213)からコンテナ(215)を取得する時、情報端末(204)は検索サービス(214)の具備する検索サービス(210)に対して、ウィジットコードに含まれた個別のIDを送信する。
【００５５】
検索サービス(210)は取得したウィジットコードに含まれた個別のIDから、電子計算機資源の具備する情報格納手段に記録されている、ウェブページのURLを特定する。この様に、URL取得手段が実行される。
【実施例３】
【００５６】
本実施例では、検索サービスの具備する電子計算機資源の処理を効率化し高速化する為の工夫について説明する。電子計算機資源の処理を効率化し高速化する工夫は、次に説明する(A)事前処理、の実行後に、(B)事後処理、を実行することで行われる。
【実施例４】
【００５７】
(A)事前処理
検索サービスは、過去、URL取得手段を用いて電子計算機資源が取得したことがあるURLを持つウェブページに対して、一定時間もしくは不定の時間を経過する毎に、インターネットを通じてアクセスし、ウェブページで公開している情報を取得する。
検索サービスはインターネットを通じてアクセスし、ウェブページで公開している情報を取得すると、前述の(ハ)ウェブページの公開情報を取得、を行い、取得したウェブページに公開されていた情報と、情報格納手段に蓄積していた、取得したウェブページと同一URLを持つウェブページが公開していた情報を比較し、同一であるか精査する。
取得したウェブページに公開されていた情報と、情報格納手段に蓄積していた、取得したウェブページと同一URLを持つウェブページが公開していた情報に違いがある場合、前述の、(ニ)ウェブページの公開情報を蓄積、(ホ)情報検索手段による検索、を実行し、(ホ)情報検索手段による検索、を実行した結果である検索結果を情報格納手段に格納する。
【００５８】
(B)事後処理
前述の(イ)情報端末のウェブページ読み込み、(ロ)情報端末のコンテナ読み込み、(ハ)ウェブページの公開情報を取得、の工程が行われた時、検索サービスは(ハ)ウェブページの公開情報を取得、で取得したウェブページに公開されていた情報と、情報格納手段に蓄積していた、取得したウェブページと同一URLを持つウェブページが公開していた情報を比較し、同一であるか精査し、同一である場合、続く工程である(ニ)ウェブページの公開情報を蓄積、(ホ)情報検索手段による検索、を実行せず、前述の(A)事前処理、で電子計算機資源の具備する情報格納手段に格納しておいた検索結果を用いる。(ヘ)情報端末が表示、が実行される。
【００５９】
この様に工夫することで、(A)事前処理、において、あらかじめ検索結果を電子計算機資源が具備する情報格納手段に格納しておくことで、(B)事後処理、において電子計算機資源の処理を省き効率化し、高速化するものである。
【実施例５】
【００６０】
図8で示すのは、実施例1で説明したOCSの利用者が情報端末(800)を用いて、OCSを用いて公開されたウェブページを、閲覧している際の情報端末(800)の様子である。情報検索手段(801)に表示されている「鈴木さんの日記」では山の画像(805)が公開されている。検索サービスの具備する情報検索手段は山の画像(805)を元に情報蓄積手段を検索したので、ウィジット(806)上の検索結果(807)に山の画像(808)、山の動画(809)、山で録音された音声(810)が出力された。各々情報は情報端末(800)を操作することで情報端末(800)の具備する情報出力手段(801)、スピーカー(811)を用いて再生できる。
【００６１】
OCSを用いインターネットを通じて公開されたウェブページの情報は文字情報に限定されず、検索サービスの具備する電子計算機資源の情報蓄積手段に取得され蓄積される情報も文字情報に限定されない。
検索サービスの具備する電子計算機資源の情報検索手段の出力した検索結果には、文字、画像、音声、動画の情報を含む場合がある。
【符号の説明】
【００６２】
101,121 情報出力手段
102,122 情報入力手段
103,105,110,123 インターネットへの送受信手段
104,124 情報端末
106,113 電子計算機資源
107,127 ウィジットコード
108,128 ウェブページ
109 OCS
111 情報格納手段
112 情報検索手段
114 検索サービス
115 コンテナ
116 インターネット
117,127 ウィジット
118,128 ウェブページ
119,120,140 検索結果
【図１】
2013077170.tif 000003
【図２】
2013077170.tif 000004
【図３】
2013077170.tif 000005
【図４】
2013077170.tif 000006
【図５】
2013077170.tif 000007
【図６】
2013077170.tif 000008
【図７】
2013077170.tif 000009
【図８】
2013077170.tif 000010
【図９】
2013077170.tif 000011